(57)【要約】【課題】  アンダーハンドキャストにおいては邪魔になりにくく、オーバーハンドキャスト時等においては、有効に活用できるリアグリップを備えた釣り竿を提供する。【解決手段】  リールシート１の竿尻側にリアグリップ３を装備するとともに、リールシート１とそのリールシート１を取付ける手元側竿体２とを、竿体周方向への相対回転を規制する状態で、手元側竿体２の軸線方向での相対移動を許容するように構成してある。【選択図】        図２
2007151473.tif 000002
【特許請求の範囲】
【請求項１】
リールシートの竿尻側にリアグリップを装備するとともに、前記リールシートとそのリールシートを取付ける竿体とを、竿体周方向への相対回転を規制する状態で、前記竿体の軸線方向での相対移動を許容するように構成してある釣り竿。
【請求項２】
前記リールシートを、前記リアグリップに近接する位置において位置規制するとともに、前記リアグリップから離れた位置において位置規制する位置保持機構を、前記リールシートと前記竿体とに亘って設けてある請求項１記載の釣り竿。
【発明の詳細な説明】
【技術分野】
【０００１】
本発明は、リールシートの竿尻側にリアグリップを装備している釣り竿に関する。
【背景技術】
【０００２】
リールシートは手元側竿体に接着固定していた（特許文献１参照）。
【０００３】
【特許文献１】特許第３６５４５６６号（段落番号〔０００６〕、及び、図１、２）
【発明の開示】
【発明が解決しようとする課題】
【０００４】
リールシートが手元側竿体に接着固定されている状態を考えると、リールシートとリアグリップとの間隔も一定であると考えてよい。
そうすると、水辺等において水面上に張出している立ち木等を避けてその立ち木の下方に仕掛けを投入すべく、一方の手でリールシート部分を握って片手操作でアンダーハンドキャストを行う場合を想定してみると、リールシートに対してリアグリップは出来るだけ近接する状態に配置されている方が望ましい。この理由は、一方の手でリールシートを握って竿先を下向きにしながら仕掛けをアンダーハンドでキャストする場合に、リアグリップがリールシートから離れた後方にあると、肘とリアグリップとが干渉することとなり、仕掛けの投入がやりにくくなる為である。
反対にアンダーハンドキャストを想定してリールシートとリアグリップとを近接する状態で設けると、オーバーハンドキャストをする場合や魚を取り込むために竿を立てて使用する場合にも、リールシートを握っている手だけで操作をすることが必要となり、操作する手にかかる負担が大きくなる。
【０００５】
本発明の目的は、アンダーハンドキャストにおいては邪魔になりにくく、オーバーハンドキャスト時等においては、有効に活用できるリアグリップを備え、かつ、リールシート位置も移動させて使用する場合に、容易に移動させて使用可能な釣り竿を提供する点にある。
【課題を解決するための手段】
【０００６】
〔構成〕
請求項１に係る発明の特徴構成は、リールシートの竿尻側にリアグリップを装備するとともに、前記リールシートとそのリールシートを取付ける竿体とを、竿体周方向への相対回転を規制する状態で、前記竿体の軸線方向での相対移動を許容するように構成してある点にあり、その作用効果は次の通りである。
【０００７】
〔作用〕
つまり、リールシートとそのリールシートを取り付ける竿体とを竿の軸線方向に相対移動可能な構成とすることによって、アンダーハンドキャストを行う為に、リールシートを握って竿先部分を下向き姿勢に切り換えると、リールシートに対して竿体全体が下向きに相対移動する。そうすると、リールシートとリアグリップとが近接する状態となる。リールシートを握った手だけを操作してアンダーハンドキャストが行える。
反対に、オーバーハンドキャストや魚の釣上げ操作を行う場合には、リールシートを握って竿先部分を上方に持ち上げ竿体全体を上下向きにすると、リールシートに対して竿体全体が下向きに移動し、リールシートとリアグリップとが離間する。そうすると、リールシートを握っていない反対側の手をリアグリップに添えてオーバースローキャスティングを行うことができる。
しかも、リールシートと竿体との相対移動を許容する状態であっても、竿体とリールシートとは竿体周方向への相対回転は制限されているので、リールシートに取付られたリールと竿体に設けられた釣り糸ガイドとの位置関係に変動は無く、リールと釣り糸ガイドとの位置変動が起こる場合の処置を必要としない。
加えて、竿体に対するリールシート位置を変更できるので、リールシート位置から竿先までの重量とリールシート位置から竿尻までの重量バランスを考慮して、釣り人の好みにあったリールシート位置に設定するのが容易に行うことができる。
【０００８】
〔効果〕
リールシートと竿体との相対回転を阻止する状態で相対移動する構成を採用するだけの簡単な改造を施すだけで、アンダーハンドキャストとオーバーハンドキャストとに相応しいリアグリップ位置の設定が行えるとともに、その切り換えを行うのに、リールシートを握って竿体の姿勢を下向き、或いは、上向きに切り換えるだけで他の操作を必要としない簡単な操作で済ますことができるものである。
しかも、リールシート位置を変更して使用したい場合にも容易迅速に対応できる釣り竿を提供できるに至った。
【０００９】
請求項２に係る発明の特徴構成は、請求項１に係る発明において、前記リールシートを、前記リアグリップに近接する位置において位置規制するとともに、前記リアグリップから離れた位置において位置規制する位置保持機構を、前記リールシートと前記竿体とに亘って設けてある点にあり、その作用効果は次の通りである。
【００１０】
〔作用効果〕
つまり、位置保持機構を設けることによって、アンダーハンドでキャストする場合や、オーバーハンドでキャストする場合にも、リールシートと竿体とが相対移動しないので、キャスト操作が容易で正確に行える。
【発明を実施するための最良の形態】
【００１１】
ルアーロッドＡによって、リールシート１のスライド移動構造について説明する。図１（イ）に示すように、ルアーロッドＡは、手元側竿体２にリールシート１を取り付けるとともに、竿尻端にリアグリップ３、リールシート１の竿先側にフロントグリップ４を装着して構成されている。
【００１２】
図１及び図２に示すように、リールシート１は、手元側竿体２にスライド移動自在に外嵌装着される筒状のシートベース５と、そのシートベース５に一体形成されリール脚７を保持する固定フード６と、固定フード６の竿先側に前記シートベース５に対してスライド移動自在に取り付けられている可動フード８とその可動フード８をスライド移動自在に移動させるべくシートベース５のネジ部５Ａに螺着されているナット９とで、構成されている。
【００１３】
リールシート１とそのリールシート１を取付ける手元側竿体２とを、竿体周方向への相対回転を規制する状態で、手元側竿体の軸線方向での相対スライド移動を許容する構成について説明する。ここでは、手元側竿体２とリールシート１との竿体周方向での相対回転を規制する回転規制機構Ｂについて説明する。図１（ハ）に示すように、シートベース５の手元側竿体２に外嵌する貫通孔５Ｂを、前記軸線方向に沿った状態でかつ孔の断面形状を角孔に形成してある。一方、シートベース５を装着する手元側竿体２における対応部分については、前記貫通孔５Ｂと同様に角軸状に形成されている。
【００１４】
このように、シートベース５の角孔状貫通孔５Ｂを手元側竿体２の角軸状部分２Ａに外嵌させることによって、スライド移動を許容しながらシートベース５の円周方向への回転を規制することとしている。
ここに、シートベース５の角孔状貫通孔５Ｂと手元側竿体２の角軸状部分２Ａとで、リールシート１の回転規制機構Ｂを構成している。
【００１５】
回転規制機構Ｂの別実施構造としては、次ぎのような構成が考えられる。
図３に示すように、シートベース５の内周面と手元側竿体２の装着外周面とに、夫々、キー１０を嵌め込むキー溝５Ｃ、２Ｃとを形成する。キー１０はシートベース５に装着固定した状態に維持し、手元側竿体２に形成するキー溝２Ｃをシートベース５のスライド移動範囲に相当する長さで形成する。
このような構成によって、シートベース５は、キー１０とともに円周方向への回転を規制された状態で、手元側竿体２に対してスライド移動自在に構成される。
【００１６】
以上のような構成になるシートベース５を備えたルアーロッドＡで釣り操作を行う場合のシートベース５の挙動状態を説明する。
（１）  水辺等において水面上に張出している立ち木等を避けてその立ち木の下方に仕掛けを投入すべく、アンダーハンドキャストを行う場合には、図１（ロ）、及び、図２（イ）に示すように、一方の手でリールシート１部分を握った状態で竿先側をやや下向きにする。
そうすると、リールシート１に対してルアーロッドＡが自重によって相対的に下方側に移動して、リールシート１部分がリアグリップ３に当接する状態までに近接する。
【００１７】
このように、リールシート１とリアグリップ３とが近接する状態になると、アンダーハンドで仕掛けを投入する際に、肘部分とリアグリップ３とが触れ合うことが少ないので、アンダーハンドキャストが容易に行えるようになる。
【００１８】
（２）  次に、オーバーハンドで仕掛けを投入する場合や、魚を釣上げる場合には、図１（イ）、及び、図２（ロ）に示すように、リールシート１を握った状態で竿先部分を上方に立ち上げる。そうすると、ルアーロッドＡは自重でリールシート１に対して下向きに移動する。リールシート１はフロントグリップ４に当接し、リアグリップ３より離間する状態になる。
このように、リールシート１とリアグリップ３との間隔を広く採ることによって、仕掛けの投入時にリールシート１を握った手とは反対側の手をリアグリップ３に添えて、キャスティング操作や釣り上げ動作を行うことができる。
【００１９】
以上のような構成より、リールシート１を握った状態で、竿先を下に向けたり、上に向けたりするだけの動作で、リールシート１とリアグリップ３との間隔を調整でき、仕掛けの投入動作に相応しい竿姿勢を容易に得ることができた。
【００２０】
リールシート１を位置保持する位置保持機構Ｃとしては、次ぎのようなものでもよい。
（イ）  図４に示すように、リールシート１を、リアグリップ３に近接する位置において位置規制するとともに、リアグリップ３から離れた位置において位置規制する位置保持機構Ｃを、リールシート１と竿体とに亘って設けてある。位置保持機構Ｃは、固定フード６の内部空間に装着した板バネ１１と、この板バネ１１の円弧状先端部に係合すべく手元側竿体２の角軸状部分２Ａの複数箇所に形成した係合穴２ａ、２ａとで構成されている。したがって、手元側竿体２を傾けてシートベース５に対して手元側竿体２を移動させると、移動終端位置で板バネ１１と係合穴２ａとが係合し、竿体位置が保持される。
【００２１】
（ロ）板バネ１１を設置していた位置にその板バネ１１の代わりに、スプリングボール機構１２を設けてもよい。この場合には、スプリングボール機構１２のボールとスプリングとを固定フード６内に装備する必要がある。
【００２２】
（ハ）  図５に示すように、板バネ１１やスプリングボール機構１２とは別の機構を設けてよい。つまり、押ボタン１２をシートベース５に取付け、押しボタン１２の先端部と係合する係合孔２ａを手元側竿体２の角軸状部分２Ａに形成して、リールシート１を握った釣り人の手指で押しボタン１２を押込み操作することによって係合穴２ａに係合させて、リールシート１と手元側竿体２との相対移動を阻止するようにしてもよい。
この場合に係合穴２ａを形成せずに押しボタン１２を角軸状部分２Ａの表面に圧接操作して、摩擦保持力によって、手元側竿体２とシートベース５との相対移動を規制する構成を採ってもよい。
【００２３】
〔別実施形態〕
（１）  本発明が適用できる釣り竿としては、リールシート１を有するものに適用可能であるが、片手操作でアンダーキャストが可能な比較的短い竿に限られるものである。
（２）  位置保持機構Ｃは特に設けなくてもよい。
【図面の簡単な説明】
【００２４】
【図１】手元側竿体とリールシートとが相対移動する状態を示し、（イ）はリールシートがフロントグリップに近接する状態を示す側面図、（ロ）はリールシートがリアグリップに近接する状態を示す側面図、（ハ）は回転規制機構を示す縦断正面図
【図２】（イ）はリールシートを握って手元側竿体を下向きにして、アンダーハンドキャストを行う状態を示す側面図、（ロ）はリールシートを握って手元側竿体を上向きにして、オーバーハンドキャストを行う状態を示す側面図
【図３】回転規制機構の別実施構造を示す縦断正面図
【図４】位置保持機構として、板バネを使用したものを示す一部切り欠き側面図
【図５】位置保持機構として、押しボタンを使用したものを示す一部切り欠き側面図
【符号の説明】
【００２５】
１            リールシート
２            手元側竿体
３            リアグリップ
【図１】
2007151473.tif 000003
【図２】
2007151473.tif 000004
【図３】
2007151473.tif 000005
【図４】
2007151473.tif 000006
【図５】
2007151473.tif 000007